(57)【要約】液晶ディスプレイのテレビジョン受像機投影システム等の映像ディスプレイシステムは、電源がオフになった直後に再開始されるべきではない、又は電源をオンにされるべきではない種類の高輝度放電ランプを、典型的には使用する。改善されたシステムは、冷却期間中の再開始からランプを保護する。システムは、画像を（画面上に）生成するよう電圧を印加されるとすぐに、電源オフの受信に続いて所定の冷却期間中ランプをオフ状態に保持する。有利には、冷却期間の間の（リモートからの）電源オンのコマンドを受信すると、冷却期間の終了時にランプの電源を自動的にオンにする。
2006524361.tif 000002
【特許請求の範囲】
【請求項１】
画像を生成するよう電圧を印加されるランプと、電源オフのコマンドを受信する手段と、前記電源オフのコマンドの受信に続いて所定の冷却期間中に前記ランプをオフ状態に保持する手段と、前記所定の冷却期間中に電源オンのコマンドを受信する手段と、前記電源オンのコマンドが前記所定の冷却期間中に受信される場合、前記所定の冷却期間の終了時に前記ランプの電源を自動的にオンにする手段と、を有する、
映像ディスプレイシステム。
【請求項２】
前記冷却期間中の電源オンのコマンドの受信を信号で伝える手段を有する、請求項１記載の映像ディスプレイシステム。
【請求項３】
パワー発光ダイオード（ＬＥＤ）と、前記冷却期間中の電源オンのコマンドの受信時に前記冷却期間の残余に対して前記パワーＬＥＤを点滅させる手段と、を有する、冷却期間請求項１記載の映像ディスプレイシステム。
【請求項４】
前記冷却期間中に前記ランプをオフ状態に保持する手段は、タイマを有する、請求項１記載の映像ディスプレイシステム。
【請求項５】
前記冷却期間中に前記ランプをオフ状態に保持する手段は、カウンタを有する、請求項１記載の映像ディスプレイシステム。
【請求項６】
画像を生成するよう電圧を印加されるランプを有する映像ディスプレイシステムの電源をオンにする方法であって、
電源オフのコマンドの受信に続いて所定の冷却期間中に前記ランプをオフ状態に保持する段階と、前記冷却期間中に電源オンのコマンドが受信された場合、前記冷却期間の終了時に前記ランプの電源を自動的にオンにする段階と、
を有する方法。
【請求項７】
前記冷却期間中の電源オンのコマンドの受信を信号で伝える段階を更に有する、請求項６記載の方法。
【請求項８】
前記冷却期間中の電源オンのコマンドの受信に続き、前記冷却期間の残余に対してインジケータを点滅させる段階を更に有する、請求項６記載の方法。
【請求項９】
プロセッサによって実行される際に、冷却期間中にランプをオフ状態に保持し、前記冷却期間中に電源オンの信号が受信される場合、前記冷却期間に続いて前記ランプの電源を自動的にオンにする、
プログラムを有するコンピュータ可読の媒体。
【発明の詳細な説明】
【発明の詳細な説明】
【０００１】
本発明は、映像ディスプレイシステム、冷却期間中に高輝度放電ランプを損傷することを防ぐようかかるシステムを操作する方法、及び、方法を実行してシステムを操作する命令を有するコンピュータ可読の媒体に係る。
【０００２】
液晶マイクロディスプレイ（ＬＣＤ）及び反射型液晶（ＬＣＯＳ）テレビジョン受像機（ＴＶ）投影システムは、高輝度放電ランプ又はバルブを光源として頻繁に使用する。典型的な高輝度放電ランプは、水銀蒸気で動作する。水銀蒸気が蒸気を再起する前に動力源を断つこと（即ち、電源オフにされた直後又は間もなく、ランプの電源をオンに戻すこと）はバルブの寿命を短縮し得る、ということは既知である。
【０００３】
部分的に電圧を印加されたバルブは避けられるべきであるため、投影システムの中には再起動遅延機能を導入するものがある。かかる機能は、バルブが完全に動力源を断つまで、ユーザがテレビジョン受像機のスイッチをオンに戻すことを防止し、これは典型的には約３０秒後に発生する。かかるアプローチは、かかる高輝度放電ランプを使用しないテレビジョン受像機では可能であるが、ユーザがすぐにテレビジョン受像機の電源をオンに戻すことができないため、ユーザにとっては特に不快である。それどころか、ユーザは起動の遅延を我慢しなければならない。起動の遅延には、バルブが冷却する約３０秒、及びバルブが再加熱する他の約３０秒が有される。
【０００４】
システムをオフにするよう要求するユーザのコマンドに応答して、システムの中には、「システムをオフにしてよいですか？」と尋ねるメッセージを表示するものがある。かかるシステムは、故意でないシャットダウンを避けるのに有用であるが、直後にシステムの電源をオンにする故意の試みがあとに続く故意のシャットダウンの問題を解決するものではない。
【０００５】
他の従来のシステムは、オフにされている虚偽の状況を与えるが、電源オフのコマンドの後３０秒等の間隔の間、バルブに電力を供給又は電圧を印加したままにする。該間隔が経過する前にユーザが電源オンのコマンドを出す場合、ユーザは起動の遅延を体験せず、テレビジョン受像機ディスプレイは、バルブをオフにせずに再開する。
【０００６】
いくつかの他の技術は、電源オンのコマンドを受信すると数秒間電源ＬＥＤを点滅させることによって、ランプの冷却を実行する。しかしながら、電源オンのコマンドは、その後放棄される。ユーザは冷却期間の間は、フィードバックを有さず、応答があるまでテレビジョン受像機の電源をオンにしようと繰り返さなければならないため、このことはユーザに対して不満をもたらす。
【０００７】
１つの面では、本発明は、映像ディスプレイシステムを有する。該システムは、画像を生成するよう電圧を印加されるランプ、電源オフのコマンドを受信する手段、電源オフのコマンド受信後、所定の冷却期間中にランプをオフ状態に保持する手段、電源オンのコマンドを受信する手段、及び、電源オンのコマンドが所定の冷却期間中に受信された場合、所定の冷却期間終了時に自動的にランプの電源をオンにする手段を有する。
【０００８】
他の面では、本発明は、ランプを有する映像ディスプレイシステムの電源をオンにする改善された方法を有する。該方法は、電源オフのコマンドの受信の後、所定の冷却期間中ランプをオフ状態に保持し、電源オンのコマンドが冷却期間中に受信された場合、冷却期間終了時に自動的にランプを電源オンにする段階を開始する。
【０００９】
更なる面は、プログラムを有するコンピュータ可読の媒体である。該プログラムは、プロセッサによって実行される際、冷却期間中ランプをオフ状態に保持し、電源オンの信号が冷却期間中に受信される場合、冷却期間の後に自動的にランプの電源をオンにする。
【００１０】
望ましいシステム、方法、及び、プログラムを有するコンピュータ可読の媒体は、冷却期間中の電源オンのコマンドの受信後の期間中、点滅する発光ダイオード等の信号を与える。ユーザは、点滅する光又は他の信号を観て、システムがユーザの電源オンのコマンドを受信してはいるが冷却期間終了時までは実行しないことを理解する。
【００１１】
本発明は、冷却期間中は電源オンのコマンドを無視していた、又は、更に悪いことには、冷却期間を時期尚早に終わらせてランプの電源を再度オンにしていた従来のシステムを、改善することを目的とする。
【００１２】
図１は、リモート・コントローラ１０１がユーザによるキーのうちの１つの作動に際して赤外線（ＩＲ）信号１０２を送る、本発明の映像ディスプレイシステムの実施例を図解する。制御回路１０３を有するテレビジョン受像機器具は、ユーザが入力したコマンドを受信し、処理する。制御回路１０３は、他の機能のなかでも、ランプ組立体１０５の電源をオン又はオフすることによって該ランプ組立体を制御する。ランプ組立体１０５は、ライトバルブ１０７による変調の際に画面１０８を照射１１１するプロジェクタ１０６を有する。制御回路１０３は、また、他の機能のなかでも、前面パネルアレイ（ＦＰＡ）１０９に電源オン・インジケータ１１０を照射するようコマンドする。
【００１３】
映像ディスプレイシステムは、例えば、液晶ディスプレイ（ＬＣＤ）又は反射型液晶（ＬＣＯＳ）投影テレビジョン受像機（ＴＶ）を有し得る。ランプ組立体１０５は、ライトバルブ１０７用の光源を形成する高輝度放電ランプであり得る。リモート・コントローラ１０１からの受信機へのコマンドは、目立たない電源オン及び電源オフのＩＲコードを有し得るか、又は、電源トグルのＩＲコードを有し得る。ユーザは、リモート・コントローラではなく、前面パネルディスプレイを介してコマンドを送信し得る。電源オン、電源オフ、又は電源トグルのコマンドは、リモート・コントローラ又は前面パネルディスプレイ以外の手段によって送信され得る。
【００１４】
図２は、映像システムの制御回路１０３でコードによって実行される段階を有する方法を図解するフローチャートの一実施例を図解する。該方法は、ランプの冷却のタイマがカウントを始める間、図２中の段階２０１の実施の際に開始する。カウントは、典型的には、図１中のリモート・コントローラ１０１からの電源オフのコマンドの受信時、及び図１中のランプ１０６の電源オフ時に発生する。冷却タイマは、ランプ１０６が完全に電源を切られるのに必要な時間に対応して、製造者によって所定の時間の長さに設定される。段階２０２が次に発生し、図１中の制御回路１０３がタイマ更新を待つ。段階２０３中で、ランプ冷却が完了したかの確認が発生する。完了していない場合、段階２０２が再度実行される。段階２０３の間でランプ冷却の完了が判明し次第、段階２０４中で自動電源オフのフラグが設定されたか否かの確認が発生する。自動電源オンのフラグは、タイマに従ったランプ冷却期間の完了に先立って電源オンのコマンドの受信の際に設定される。フラグが段階２０４中で設定されると判明した場合、電源オンのコマンドは、段階２０５中で処理され、ランプ冷却タイマは段階２０６中で停止される。自動電源オンのフラグが段階２０４中で確認された際に設定されていなかった場合、即ち、電源オンのコマンドが冷却期間中で受信されなかった場合、プロセッサは、段階２０６中でランプ冷却タイマを停止し、電源オンのコマンドを待つ。
【００１５】
図３は、ユーザコマンド処理が段階３０１中で開始する、実例的なコマンド処理のフローチャートの一実施例を描写する。段階３０２の間、システムはユーザコマンドを待つ。段階３０３の間、テレビジョン受像機の電源が入れられているか否かの確認が発生する。電源が入れられている場合、コマンドは再実行段階３０２の前に段階３０４中で処理される。段階３０２では、システムが次のコマンドを待つ。テレビジョン受像機の電源が入っていない場合、段階３０５の間で電源オンのコマンドが受信されているか否かの確認が発生する。電源オンのコマンドが受信されている場合、システムは、段階３０６中でランプがまだ冷却期間にあるか否かを、まず確認する。ランプがまだ冷却期間にある場合は、システムは、電源ＬＥＤを点滅させ、ユーザに、電源オンのコマンドは受信されていることを信号で伝えるようにし、自動電源オンのフラグを段階３０７中で設定する。ランプ冷却期間が終了した場合、段階３０４が発生し、システムは電源オンのコマンドを処理し、テレビジョン受像機は電源が入った状態になる。段階３０３でなされた確認中にテレビジョン受像機の電源が入っていない場合、受信された電源オン３０５以外のいずれのコマンドも、段階３０８中で破棄される。
【００１６】
図２中の保留された電源オンの段階２０５が処理される際、ランプのウォームアップ・モードが入力され（図示せず）、画像は、まず約１０秒後に可視となり、続いて徐々により明るくなる。
【００１７】
本発明に従ったシステム、方法、及びプログラミングは、従って、電源オンのコマンドが受信される冷却期間中にランプに対して保護を与えるが、同時に電源オンのコマンドを受け入れ、それらを冷却期間終了時まで一時休止状態に保持し、続いて自動的に実行する。望ましい一実施例では、システムは、ユーザに電源オンのコマンドの受信を知らせる。該コマンドは、冷却期間が冷却タイマに従って終了されるまで一時休止状態に保持される。かかる通知は、例えば、電源ＬＥＤを連続して点滅させること、又は、認識可能なパターに従って電源ＬＥＤを点滅させることによる。
【図面の簡単な説明】
【００１８】
【図１】電源オンと電源オフを受信し、電源オン及び電源オフの動作を制御するようプロセッサ、受信機、並びにランプを有するテレビジョン受像機のシステムを図解する。
【図２】ユーザが入力した電源オン及び電源オフのコマンドを処理するフローチャートを図解する。
【図３】ユーザが入力した電源オフ及び電源オンのコマンドを処理し、冷却期間中の電源オンのコマンドの受信を信号で伝えるフローチャートを図解する。
【図１】
2006524361.tif 000003
【図２】
2006524361.tif 000004
【図３】
2006524361.tif 000005
【国際調査報告】
2006524361.tif 000006